(57)【要約】      （修正有）【課題】回転系のルアーの異質感を軽減して、より手軽な選択肢の一つとして使え、使用時におけるトラブルの少ないコンパクトで簡易な構造の回転系のルアーを提供する。【解決手段】細長いプレート１の両端付近にそれぞれ穴２を開けて、プレート１をたわめて二つの穴２にシャフト３を通し、そのシャフト３を回転の軸としてプレート１が回転するようにする。シャフト３の両端にはラインアイ５とフックアイ６を設ける。シャフト３の中心軸からウエイト４の重心をずらせて配置することでシャフト３の回転を抑えてプレート１だけを回転させることができる。【選択図】図１
0003169104.tif 000002
【実用新案登録請求の範囲】
【請求項１】
およそ長方形を基本形とする細長いプレート１の両端付近にそれぞれ穴２をあけて、そのプレート１をたわめて二つの穴２にシャフト３を通した形態のルアー。
【請求項２】
シャフト３の中心軸上の位置、あるいはその中心軸上からずらせた位置にウエイト４を配置した請求項１に記載のルアー。
【請求項３】
穴２の位置について、プレート１の両端付近ではあるが、若干末端から離した位置に配置し、穴２より先にプレート１が突き出た部分を設けた、請求項１に記載のルアー。
【請求項４】
プレート１の形状について、中央付近で窄まった形とする、すなわち、両端が幅広で真ん中付近が細い形とする、そのような形状のプレート１とした請求項１に記載のルアー。
【請求項５】
プレート１の前後あるいはそのいずれかに、プロペラ７を付加した請求項１に記載のルアー。
【請求項６】
ラインアイ５を頂点としてそこから二方向にＶ字型にシャフト３を伸ばし、一方のシャフト３にプレート、もう一方のシャフトにウエイト４を配置した、請求項１に記載のルアー。
【考案の詳細な説明】
【技術分野】
【０００１】  本考案は釣り具のルアーに関する。
【背景技術】
【０００２】  本考案は、回転軸としてのシャフトを有するものであり、その点から、ワイヤー系ルアーとも呼ばれるスピナーベイト、バズベイトなどをその背景技術とする。
【考案の開示】
【考案が解決しようとする課題】
【０００３】  回転系のルアーは、他のルアーとの比較において幾分か特別なものという印象が拭えない部分もあったかと思われるのであるが、その異質感を軽減して、より手軽な選択肢の一つとして使えるようにする。使用時におけるトラブルの少ないコンパクトで簡易な構造の回転系のルアーを実現する。
【課題を解決するための手段】
【０００４】  細長いプレート１の両端付近にそれぞれ穴２を開けて、プレート１をたわめて二つの穴２にシャフト３を通し、そのシャフト３を回転の軸としてプレート１が回転するようにする。最も簡易な形態においては、これで十分に機能を果たす。シャフト３の両端にはラインアイ５とフックアイ６を設ける。
さらに、ウエイト４を設けることでキャスタビリティを高めたり、潜行深度を調節したりする。シャフト３自体を重くする、シャフト３の中央付近、プレート１の穴と穴の間に位置する部分にウエイト４を配置すると極めてシンプルな形状となる。プレート１自体にある程度の重量をもたせることもできる。
また、シャフト３の中心軸からウエイト４の重心をずらせて配置することでシャフト３の回転を抑えてプレート１だけを回転させることができる。シャフト３の回転を抑えることで糸縒れを防止する。
【考案の効果】
【０００５】  ブレードなどが回転するタイプの回転系ルアーをシンプルな形状で実現できる。また、回転ブレード系のルアーは水中におけるシルエットが案外大きくなりがちであったが、本考案においては回転軸を中心としてその半径を比較的小さくすることができる。例えば、全長２センチ程度となるような極小サイズのルアーを作ることも可能であり、対象魚によってはそれが本質的な有効性をもつ。
コンパクトにまとまった形態をしているので取り扱い時および使用時に神経を使う部分が少ない。例えば激しい流れの渓流などにおいてもスプーンやプラグと同様に使うことができる。
【考案を実施するための最良の形態】
【０００６】  図１に示す。細長いおよそ長方形のプレート１の両端付近にそれぞれ穴２を開けて、プレート１をたわめて二つの穴にシャフト３を通す。穴２を開ける位置が長方形の対角の付近となるように斜向かいにするとプレート１に自然に捻りが生じて回転が良くなる。さらに穴２の位置をプレート１の末端ぎりぎりではなく、末端から若干離して、穴２よりも先に突き出た部分を設けると、ここに水が当たってプレート１の回転が良くなる。さらにプレート１の中央部付近を窄めて細くすると回転が良くなる。プレートの中央部付近は回転に寄与することが少なく、むしろ抵抗となるものと思われる。
シャフト３が回転の中心軸となるのであるが、その直線上からずらせてウエイト４を配置する。ウエイト４のある方が下側となり姿勢が安定するのでシャフト３自体が回転することがなくなり、糸が縒れない。ウエイト４を支えるアームを伸ばすなどしてウエイト４の位置を回転軸から遠ざければより安定する。
【実施例】
【０００７】  図１に示す。すでに上で説明したことに加えて、ウエイト４の位置はラインアイ５のある側、すなわち水中での進行方向前方とすると姿勢は安定する。ラインアイ５よりもさらに若干前方に重心がくる程度の位置が良いかもしれない。
リトリーブ時にはプレート１の回転にともなって全体が適度に振動する。この振動も魚に対しては有効に作用するものと期待できる。振動を発生させるこの効果は、回転ブレードやプロペラにはない効果と思われる。
また、リトリーブスピードを速めると、水面で回転して水しぶきをあげる。この使い方をメインとする場合には、プレート１を大きめ、ウエイト４を軽めにするとよい。深く沈めたいときは逆である。
フックとしてダブルフックを装着すれば、密生した藻の中や水面に出た藻の上を引くこともできる。
ウエイト４の形については、実用上は球形で十分なのであるが、魚の頭のような形あるいは三角錐のような形とすると、意匠的にも良いものとなり、また水を切るような形状とすることで水中での姿勢が安定することも期待できる。あるいはミノータイプのルアーのリップのような形状とすれば潜行深度と姿勢を安定させることができる。
さらにウエイト４の形を下向きに水を押しやるような形状と角度にして浮き上がりやすくすることでサーフィス系のルアーとして水面で使うのに適したものとなる。ウエイト４をフィンのような形状とすることも有効であるし、あるいはウエイト４とは別にフィンを設けてもよい。
ベアリング用のビーズを設けることでプレートの回転が滑らかになる。
回転系のルアーであるが、その全体のシルエットはプラグ系のルアーに近い。回転系のルアーは特別なもの、ルアーの中にあって異質なものという印象もあるかと思われるのであるが、本考案はプラグ系ルアーの一つのバリエンションのような気持ちで特別な意識なしに使うことができるルアーであると思われる。【０００８】  ウエイト４を重くする。これは、ルアーのバリエイションの一つとして当たり前のことであるが、本考案においては特に有効なものとなる。重くして深くフォールさせることが深場のバス、シーバス、トラウトなどの攻略には必要となってくるが、ブレード系のルアーにおいてはブレードなどにラインが絡まるトラブルが起こりがちである。本考案においてはそれがおよそない。そして底まで沈めた場合には、トリプルフックに代えてダブルフックとすることで根掛かりの危険性も少なくできる。また、着底して静止した状態からの動きだしにおいてプレート１の回転に遅れがない。回転ブレードの場合は若干なりとも回転の始動は遅れる。
本考案は底まで沈めるような使い方においても使いやすく、同時にコンパクトであることから、ジグヘッドとして用いることにも適している。その場合、シャフト３とフックがつながった、あるいは一体化した形態が考えられる。そしてフックにソフトルアーなどを装着して用いる。
海の根魚をジグヘッドとソフトルアーの組み合わせで釣ることが近年人気であるが、根魚は特に音によるアピールが有効とも言われているので、そのためのものとして、バズベイトなどに用いられているクラッキング・フィンをウエイト４の後ろあたりに装着してプレート１との衝突によりクラッキング音を発生させることも有効と思われる。またそのフィンは水中でのスイミング時の姿勢を安定させる効果をもつことも期待できる。【０００９】  図４にプレート１の形状の例を示す。中央付近をすぼめることと、穴２の位置を末端からいくらか離して穴２よりも外側に出っ張る部分を設けることで、回転が断然良くなる。また、二つの穴の位置は互いに斜向かいになるようにすると自然とプレートに捩じれが生じて、回転が良くなる。
回転を良くする観点からは、上記のようなポイントがあるのであるが、それを踏まえた上でもプレートの形についてはかなり任意性が高い。また、回転を幾分か犠牲にするならば、例えば魚の形を模したようなプレートでも十分に実用になる。
両端を幅広にすることが回転の面からはベストと思われるのであるが、一方の端は幅広にしなくても実用に耐える程度の回転は得られる。幅の広さについて両端で違っていてもよい。プロペラとの組み合わせで用いたりする場合には、片方の端だけ幅広の形態としてプロペラに近い側の端は窄まった形にしておくと、プロペラの存在を邪魔しないということもある。その場合でもプレートは潜行深度を一定に保つことと振動を生むことに寄与する。
プレートは薄くて軽いほうがより良く回転する傾向がある。
透明にすることで、視覚的な存在感をなくこともできる。特に魚の活性が低い場合などには、存在感のないほうが良い釣果を得るということもある。また、透明なプレートに部分的に色を付けたり金属光沢をもたせたりすることも有効と思われる。例えば、プレートの末端だけに色を付けるとその部分だけがくるくると回っているように見える。あるいはプレートの長い方向にラインを引くような形で着色するとうねうねと動くように見える。
プレート自体に重量を持たせた場合には、ウエイトは必ずにも必要ではなくなる。その場合、あたかも回転軸をもったスプーンのような形態となる。【００１０】  図２に示す。プロペラ７を付加する。プレート１とプロペラ７がシャフト３を共有することで簡単に付加することができる。
プロペラ７およびプレート１のそれぞれにベアリング用のビーズとそのストッパーを設けることで、ぶつからずに滑らかに回転するようにする。
プロペラ７に代えて、回転ブレードとすることもできる。魚の活性が高い場合には、より存在感のある回転ブレードのほうが有効ということもあるかもしれない。【００１１】  図３に示す。いわばスピナーベイト型である。スピナーベイトにおいて回転ブレードが取り付けられるはずのアーム部を、本考案のプレート１の回転軸となるシャフト３として用いた形となっている。プレート１の回転軸となるシャフト３の後端には、さらに回転ブレードなどを付けることもできる。
スピナーベイトは様々なルアーの中にあってもかなりの程度にトラブルフリーなルアーであるが、本考案のこの実施例においては、さらにトラブルが少ない。特にルアーにラインが絡むことがない。ウエイトをジグヘッドタイプとすることでスピナーベイトの場合と同様に根掛かりも回避できる。【００１２】  図３のスピナーベイト型のタイプにおいて、ウエイト４のあるアームの末端付近にプロペラ７を付加する。プロペラ７は、魚を誘い出す効果をもつだけではなく、食い付かせる標的としても有効であり、プレート１の回転で魚を誘い、プロペラ７に食い付かせるという形での作用が期待できる。
ウエイト４をジグヘッドタイプとした場合には、そのヘッドの前方にプロペラ７を配置する。
ウエイト４の前後にプロペラを付加することについては、ブレードタイプの従来のスピナーベイトにおいても、この形態とすることができる。【００１３】  ルアーのパーツとして、他のルアーの前後に取り付けて用いる。例えば、ミノータイプのルアーの前あるいは後ろにスプリットリングなどを介してジョイントして用いる。
【産業上の利用可能性】
【００１４】  回転するという性質から、風力発電などの発電にも利用の可能性があるかもしれない。
【図面の簡単な説明】
【００１５】
【図１】  本考案の斜視図
【図２】  本考案の実施例の側面図
【図３】  本考案の別の実施例の側面図
【図４】  プレートの平面図
【符号の説明】
【００１６】    １  プレート
２  穴
３  シャフト
４  ウエイト
５  ラインアイ
６  フックアイ
７  プロペラ
【図１】
0003169104.tif 000003
【図２】
0003169104.tif 000004
【図３】
0003169104.tif 000005
【図４】
0003169104.tif 000006